(57)【要約】      （修正有）【課題】ＵＳＢプラグの挿入に伴って開き、該ＵＳＢプラグを抜くと自動的に閉鎖され、スムーズに挿入できる防水可能なカバー付きＵＳＢコネクタを提供する。【解決手段】ＵＳＢプラグ１０が挿通可能な矩形の開口部２１を有する前面パネル２と、前面パネル２の背後に、受口６ａが開口部２１よりも後退した位置となるように配設されたＵＳＢレセプタクル６と、ＵＳＢレセプタクル６の長辺に沿って、カバー部４０がＵＳＢレセプタクル６の受口６ａを開閉可能となるよう揺動自在に配設され、該カバー部４０がＵＳＢレセプタクル受口６ａを閉鎖し、該カバー部４０が開口部２１から後退することにより前記ＵＳＢレセプタクル受口６ａを開放するコネクタカバー４と、コネクタカバー４をそれのカバー部４０が常に開口部２１に向かう方向に付勢するネジリコイルバネ１１、１２を備えている。また、ＵＳＢレセプタクル６の受口部６ａへの水等の液体異物の浸入を防止するゴムパッキン８、ゴムパッキン９を備える。【選択図】図３
0003225341.tif 000002
【実用新案登録請求の範囲】
【請求項１】
ＵＳＢプラグが挿通可能な矩形の開口部を有する前面パネルと、
前記前面パネルの背後に、受口が前記開口部よりも後退した位置となるように配設されたＵＳＢレセプタクルと、
前記ＵＳＢレセプタクルの長辺に沿って、カバー部が前記受口を開閉可能となるよう揺動自在に配設され、該カバー部が前記開口部に向かう方向に揺動することにより前記受口を閉鎖し、該カバー部が前記受口から後退することにより前記受口を開放するコネクタカバーと、
前記コネクタカバーをそのカバー部が常に前記開口部に向かう方向に付勢する付勢手段と、
前記ＵＳＢプラグの先端を挿通可能な矩形穴を有し、前記ＵＳＢプラグの挿脱方向に摺動自在なプラグガイドと、
を備えていることを特徴とするカバー付きＵＳＢコネクタ。
【請求項２】
請求項１に記載のカバー付きＵＳＢコネクタにおいて、
ＵＳＢプラグ挿入の際、ＵＳＢプラグと前記プラグガイドの矩形穴の係合部にゴムパッキン
を備えていることを特徴とするカバー付きＵＳＢコネクタ。
【請求項３】
請求項１に記載のカバー付きＵＳＢコネクタにおいて、
前記プラグガイドと前記コネクタカバーとの係合部にゴムパッキン
を備えていることを特徴とするカバー付きＵＳＢコネクタ。
【考案の詳細な説明】
【技術分野】
【０００１】  本考案は、カバー付きＵＳＢコネクタに関する。
【背景技術】
【０００２】  従来、ＵＳＢ（Ｕｎｉｖｅｒｓａｌ  Ｓｅｒｉａｌ  Ｂｕｓ）コネクタなどのＩ／Ｏコネクタの中には、外部から埃等の異物が侵入することを防ぐためにカバーや蓋などが設けられたものが存在する。【０００３】  例えば、特許文献１には、家具に装着する電源コンセントであって、略長方形状のコンセント本体に、その長手方向の両端から突出する取付片を設け、且つ、前記コンセント本体の上部に少なくとも、プラグ差込口とＵＳＢポートとを設け、且つ、前記ＵＳＢポートに基盤を連結し、前記プラグ差込口に、これを常時閉じるスライド可能な閉鎖板を備えると共に前記ＵＳＢポートに、これを開閉するスライド板を備えた家具用電源コンセントが記載されている。【０００４】  また特許文献２には、ＵＳＢプラグが挿通可能な矩形の開口部を有する前面パネルと、前記前面パネルの背後に、受口が前記開口部よりも後退した位置となるように配設されたＵＳＢレセプタクルと、前記ＵＳＢレセプタクルの各長辺に沿って、各先端部が共に前記開口部に出没可能となるよう揺動自在に配設され、該各先端部が前記開口部に突入することにより前記開口部を閉鎖し、該各先端部が前記開口部から後退することにより前記開口部を開放する一対のコネクタカバーと、前記各コネクタカバーをそれらの先端部が常に前記開口部に向かう方向に付勢する付勢手段と、を備えているカバー付きＵＳＢコネクタが記載されている。
【先行技術文献】
【特許文献】
【０００５】
【特許文献１】実用新案登録第３１７２２３６号公報
【特許文献２】実用新案登録第３２０４３１６号公報
【考案の概要】
【考案が解決しようとする課題】
【０００６】  しかしながら上記文献１のカバー付きＵＳＢコネクタは、ＵＳＢプラグを抜差しする度に該カバーを使用者の手で開閉しなくてはならず、取り扱いが煩雑である課題があった。その課題を解決した上記文献２のカバー付きＵＳＢコネクタの考案は、前面パネル開口部が大きく、ＵＳＢプラグ先端を適正にガイドできないため、カバーの匡体からの突出部でガイドしていた。そのため、ＵＳＢプラグ挿入の際、カバーが揺動し安定したガイドができず、スムーズに挿入できない課題があった。また、埃等の異物は侵入は防止できるが、１対のカバーが前面パネル開口部の中央部で接合しているため、その部分からの水等の液体異物の浸入は防止できなかった。【０００７】  本考案は上記の課題に鑑みなされたもので、その目的は、使用者が開閉しなくともＵＳＢプラグの挿入に伴って開き、該ＵＳＢプラグを抜くと自動的に閉鎖されるものであって、スムーズにＵＳＢプラグを挿入できるものである。さらには、水等の液体異物の浸入を防止できるカバー付きＵＳＢコネクタを提供することである。
【課題を解決するための手段】
【０００８】  上記目的を達するために、本考案は次のとおりの構成としている。【０００９】  本考案のカバー付きＵＳＢコネクタは、ＵＳＢプラグが挿通可能な開口部を有する前面パネルと、前記前面パネルの背後に、受口が前記開口部よりも後退した位置となるように配設されたＵＳＢレセプタクルと、前記ＵＳＢレセプタクルの長辺に沿ってカバー部が該ＵＳＢレセプタクル受口に開閉可能となるよう揺動自在に配設され、該カバー部が前記開口部方向に揺動することにより前記受口を閉鎖し、該カバー部が該開口部から後退することにより該受口を開放するコネクタカバーと、前記コネクタカバーをそのカバー部が常に該開口部に向かう方向に付勢する付勢手段と、前記ＵＳＢプラグの先端をガイド可能な矩形穴を有し、該ＵＳＢプラグの挿脱方向に摺動自在なプラグガイドとを備えていることを特徴としている。【００１０】  この構成によれば、ＵＳＢプラグの先端部をプラグガイドの矩形穴に合わせ押し入れることで、該先端部がコネクタカバーを押し、それに伴い、コネクタカバーが付勢手段の付勢力に逆らって揺動することによってＵＳＢレセプタクルの受口が開放されるため、ＵＳＢレセプタクルにＵＳＢプラグを挿入することができる。その際、プラグガイドの矩形穴がＵＳＢプラグを適正な位置にガイドできるため、スムーズな挿入が可能となる。また、ＵＳＢプラグを引き抜くと、付勢手段の付勢力によりコネクタカバーが自動的に開口部に向かい揺動し、同時にプラグガイドも戻り、コネクターカバーはプラグガイドの係合部まで付勢され、該受口が閉鎖されるため、ＵＳＢプラグを抜いた後に受口部が開いたままになることがなく、コネクタカバーの閉め忘れに起因する埃等の異物の侵入を確実に防止することができる。【００１１】  また、上記カバー付きＵＳＢコネクタは、前記プラグガイドの矩形穴部およびコネクターカバーとプラグガイドの係合部にゴムパッキンを設けても良い。【００１２】  この構成によれば、ＵＳＢプラグを挿入した際、ＵＳＢプラグとプラグガイド間の隙間をゴムパッキンで密閉することで水等の液体異物の浸入を防ぐことができる。【００１３】  また、本考案のカバー付きＵＳＢコネクタは、前記コネクタカバーが付勢された状態のコネクタカバーとプラグガイドとの係合部にゴムパッキンを設けても良い。【００１４】  この構成によれば、ＵＳＢプラグを引き抜いた際、コネクタカバーとプラグガイドとの係合部の隙間をゴムパッキンで密閉することで水等の液体異物の浸入を防ぐことができる。
【考案の効果】
【００１５】  本考案によれば、ＵＳＢプラグをスムーズに挿入ができ、水等の液体異物の浸入を防止可能な、ＵＳＢプラグの挿脱で自動的に開閉されるカバー付きＵＳＢコネクタを提供することができる。
【図面の簡単な説明】
【００１６】
【図１】本考案の実施形態に係るカバー付きＵＳＢコネクタを備えた筐体の斜視図である。
【図２】図１におけるＩＩ−ＩＩ線に沿う断面図である。
【図３】図１のカバー付きＵＳＢコネクタを備えた筐体の分解斜視図である。
【図４】図３のカバー付きＵＳＢコネクタを備えた筐体の分解斜視図の一部分を拡大した図である。
【図５】図３のカバー付きＵＳＢコネクタを備えた筐体の分解斜視図の一部分を拡大した図である。
【図６】図１におけるＶ−Ｖ線に沿う断面図である。
【図７】図１のカバー付きＵＳＢコネクタにＵＳＢプラグを挿入した際の断面図である。
【考案を実施するための形態】
【００１７】  以下、本考案に係るカバー付きＵＳＢコネクタの実施形態について、図に基づいて詳しく説明する。
【００１８】  ＜第１実施形態＞
図１は、本考案の実施形態に係るカバー付きＵＳＢコネクタを備えた筐体の斜視図である。図２は、図１におけるＩＩ−ＩＩ線に沿う断面図である。図３は、図１のカバー付きＵＳＢコネクタを備えた筐体の分解斜視図である。図４と図５は、図３のカバー付きＵＳＢコネクタを備えた筐体の分解斜視図の一部分を拡大した図である。図６は、図１におけるＶ−Ｖ線に沿う断面図である。図７は、図１のカバー付きＵＳＢコネクタにＵＳＢプラグを挿入した際の断面図である。
【００１９】  −カバー付きＵＳＢコネクタの構成−
【００２０】  本実施形態では、一つのＵＳＢレセプタクルを備えた筐体に本考案を適用した場合を示している。このカバー付きＵＳＢコネクタ１は、図１乃至７に示すように、ＵＳＢプラグ１０が挿通可能な開口部２１を有する前面パネル２と、前面パネル２の背後に、ゴムパッキン８とゴムパッキン板９が貼着され、ＵＳＢプラグの先端部１０ａが挿入可能な矩形穴５３を有し、ＵＢＳプラグの挿脱方向に摺動自在なカバー５と、受口６ａが開口部２１よりも後退した位置となるように配設されたＵＳＢレセプタクル６と、ＵＳＢレセプタクル６の長辺に沿って揺動自在に配設され、カバー部４０が開口部２１方向に付勢されるとＵＳＢレセプタクル６の受口６ａを閉鎖し、カバー部４０が開口部２１から後退することによりＵＳＢレセプタクル６の受口６ａを開放するコネクタカバー４と、コネクタカバー４をそれのカバー部４０が常に開口部２１に向かう方向に付勢するネジリコイルバネａ１１，ネジリコイルバネｂ１２（付勢手段）と、を備えている。以下、各部について詳述する。
【００２１】  筐体３は、本体３ａと、この本体３ａの上面を閉塞する蓋体３ｂとから構成されており、蓋体３ｂの天面が本考案における前面パネル２に相当する。該本体３ａの側面４個所にはそれぞれ係合爪３３が設けられる一方、蓋体３ｂの側面４個所にはそれら係合爪３３と対応する位置に係合穴２２が設けられており、本体３ａと蓋体３ｂを嵌挿することで本体３ａと蓋体３ｂとが一体化されるようになっている。また、本体３ａの底面中央部には、一対のＵＳＢレセプタクル６の螺合部３７、３７が設けられ、ＵＳＢレセプタクル６に取着されたプリント配線基板７のネジ挿通孔７ａと７ｂに固定ネジ１３、１３を挿通して、それらを螺合部３７、３７に螺入することでＵＳＢレセプタクル６を固定されるようになっている。一方、蓋体３ｂの天面、すなわち前面パネル２には、前記した開口部２１が、ＵＳＢレセプタクル螺合部３７，３７に螺合されるＵＳＢレセプタクル６と対向するように設けられている。そして、ＵＳＢレセプタクル螺合部３７，３７に該ＵＳＢレセプタクル６が螺合された際、開口部２１よりも筐体３の内方に所定距離だけ入り込んだ位置にＵＳＢレセプタクル６の先端部が位置するよう、前面パネル２と本体３ａの底面との間隔及びＵＳＢレセプタクル螺合部３７，３７におけるＵＳＢレセプタクル６の固定高さ位置が考慮されている。また、開口部２１は、ＵＳＢレセプタクル６の外形状よりも大きく形成されており、開放状態にあるコネクタカバー４の先端部の存在下でＵＳＢプラグ１０の挿通を許容し得る大きさとされている。また、ＵＳＢレセプタクル６とプリント配線基板７を囲う壁を設け、受口６ａのみ開放している。その壁の側面に１対のコネクタカバー６の枢着凸３１、３１を設けている。この壁の上部にＵＳＢレセプタクル６の長手方向に設けたリブ３４は、コネクタカバー４が開口部２１方向に付勢されたとき側面の開口を塞ぐように設けている。
【００２２】  このコネクタカバー４は、ＵＳＢレセプタクル６の受口６ａを開閉するカバー部４０と、カバー部４０の両端に設けられたアーム部４１、４１と、アーム部４１、４１に設けられた枢着孔４２、４２と、ネジリコイルバネａ１１，ネジリコイルバネｂ１２の取り付けボス４３，４３と、該各ネジリコイルバネ１１，１２のアーム１１ａ、１２ａのバネ掛け部４４，４４と、枢着孔４２、４２を有している。
【００２３】  このように構成されたコネクタカバー４は、枢着孔４２、４２を筐体３の本体３ａ内のコネクタカバー４の取付用の枢着凸３１、３１に嵌め入れる。次に、コネクタカバー４の各ネジリコイルバネ１１，１２の取り付けボス４３，４３に各ネジリコイルバネ１１，１２のコイル部を各々挿入し、各ネジリコイルバネのアーム１１ａ、１２ａをコネクタカバーのバネ掛け部４４，４４に、他方のアーム１１ｂ、１２ｂを本体３ａ内の溝３５，３５に各々取り付けることで、コネクタカバー４のバネ掛け部４４、４４にバネ力が加わわりコネクタカバー４は開口部２１方向に付勢される。
【００２４】  また、コネクタカバー４の上部に配置されたプラグガイド５は蓋体３ｂに設けられたリブ２３，２４にガイドされ摺動自在になっており、ＵＳＢプラグ１０挿入の際は挿入方向に摺動し、ＵＳＢプラグ１０を抜くと各ネジリコイルバネ１１，１２により付勢されたコネクタカバー４の揺動に伴い開口部２１の方向に摺動する。また、プラグガイド５はＵＳＢプラグ１０挿入の際、その先端部１０ａがスムーズに通る大きさの矩形の開口部５４を有し、ＵＳＢプラグ先端部１０ａをガイドする。その周囲にはゴムパッキン取り付け凹５１を有し、そこにＵＳＢプラグ先端１０ａが挿通可能な孔８１を有したゴムパッキン８を貼着している。また、筐体３の本体３ａに設けたリブ３４の挿通穴５３を設け、その挿通穴５３の長手方向のプラグガイド５の側面内側の凹５２を設け、そこにゴムパッキン９を貼着している。
【００２５】  このようになるコネクタカバーの構成を本体３ａ内に取り付けるには、まず、ＵＳＢレセプタクル６に取着されたプリント配線基板７を本体３ａの螺合部３７，３７に螺合する。次に、コネクタカバー４を上記したようにアーム部４１の枢着孔４２，４２を本体３ａの枢着凸３１、３１に嵌め入れる。そして最後に、コネクタカバー４のネジリコイルバネ取り付けボス部４３，４３、バネ掛け部４４，４４、本体３ａの溝３４，３４に、これらとそれぞれ対応するネジリコイルバネａ１１，ネジリコイルバネｂ１２を介装する。これにより取付を完了する。
【００２６】  このあと、予めゴムパッキン８、ゴムパッキン９が貼着されたプラグガイド５をコネクタカバー４の上に載せた後、蓋体３ｂを本体３ａに被せるとともに、嵌挿することで、本体３ａと蓋体３ｂとを一体化させ、これにより本考案に係るカバー付ＵＳＢコネクタが完成する。
【００２７】  この状態で、コネクタカバー４は各ネジリコイルバネ１１，１２の付勢力によりカバー部４０が常に開口部２１方向に付勢され、ＵＳＢレセプタクル６の受口６ａがコネクタカバー４で閉鎖されることとなる。また、コネクタカバー４の端面４５はゴムパッキン９に係合し密閉され、コネクタカバー４の内部への水等の液体異物の侵入を防ぐことができる。
【００２８】  −カバー付きＵＳＢコネクタ１の使用方法−
上記のように構成されるカバー付きＵＳＢコネクタ１にＵＳＢプラグ１０を挿入する際には、該ＵＳＢプラグ１０の先端部１０ａを上記プラグガイド挿通部５４（ゴムパッキン挿通部８１）に、押し入れることで該先端部１０ａがカバー部４０を開く。それに伴い、図６に示すようにカバー部４０が各ネジリコイルバネ１１、１２の付勢力に逆らって揺動基部３１，３１を中心に付勢位置から筐体３内部に揺動することによってＵＳＢレセプタクル６の受口６ａが開放されるため、ＵＳＢプラグ１０の先端部１０ａを筐体３内のＵＳＢレセプタクル４に挿入することができる。
【００２９】  このとき、図７で示すように、ＵＳＢプラグ先端１０ａが直接コネクタカバー４を押し開いた後、ＵＳＢプラグ１０の本体部１０ｂがゴムパッキン８を介しプラグガイド５を押し、プラグガイド５が移動することにより、コネクターカバー４を最終位置まで押し込むことになる。そして、ゴムパッキン８とＵＳＢプラグ１０の本体１０ｂが密閉され、ＵＳＢレセプタクル６への水等の液体異物の浸入を防ぐことができる。
【００３０】  上記のようにＵＳＢプラグ１０が挿入されたカバー付きＵＳＢコネクタ１からＵＳＢプラグ１０を引き抜くと、各ネジリコイルバネ１１、１２の付勢力によりコネクタカバー４が自動的に開口部２１方向に戻り、ＵＳＢレセプタクル６の受口６ａをコネクタカバー４のカバー部４０で閉鎖される。そして、同時にプラグガイド５もコネクタカバー４に追従し、元の付勢位置へ戻る。
【００３１】‐他の実施形態‐
本考案は、上記実施形態に限定されず、その精神又は主要な特徴から逸脱することなく他の様々な形で実施することができる。
【００３２】  上記実施形態では、カバー付きＵＳＢコネクタ１は内部にＵＳＢレセプタクル６のみを備えた筐体３に適用されているが、これに限らず、例えばパーソナルコンピューターの本体やハードディスクなどの記憶装置など、他の様々な電子機器類に適用してもよい。
【００３３】  上記実施形態では、ＵＳＢレセプタクル６の端子の短手方向における向きは、該ＵＳＢレセプタクル６がカバー部４０に覆われているために筐体３の外見から判別することはできないが、該筐体３の開口部２１の周辺部又はカバー部４０に該ＵＳＢレセプタクル６の端子の向きを示す表示やマーキングを施してもよい。
【符号の説明】
【００３４】１  カバー付きＵＳＢコネクタ
２  前面パネル
４  コネクタカバー
５  プラグガイド
６  ＵＳＢレセプタクル
６ａ  受口
８  ゴムパッキン
９  ゴムパッキン
１０  ＵＳＢプラグ
１０ａ  先端部
１０ｂ  本体部
１１  ネジリコイルバネａ（付勢手段）
１２  ネジリコイルバネｂ（付勢手段）
２１  開口部
４０  カバー部
５４  矩形穴
【図１】
0003225341.tif 000003
【図２】
0003225341.tif 000004
【図３】
0003225341.tif 000005
【図４】
0003225341.tif 000006
【図５】
0003225341.tif 000007
【図６】
0003225341.tif 000008
【図７】
0003225341.tif 000009